(57)【要約】【課題】室内等の空間の用途、使用者等を明示する目的で室外の壁面に表示装置を固定状態で設置する上で、受け材の上方に表示材を差し込めるだけの空間の確保と、受け材の全長に表示材を差し込むことを不要にする。【解決手段】壁面５に沿った方向の両側に並列する案内溝２ａ、２ａを有する案内材２と、案内材２の案内溝２ａ、２ａ内に差し込まれて案内溝２ａ、２ａに保持される表示材３から表示装置１を構成し、表示材３の壁面５側に、案内溝２ａに案内材２の長さ方向に移動自在に嵌合し、壁面５の表面側へ係合しながら案内材２に支持される被保持部３１を形成し、案内材２の長さを案内溝２ａ、２ａに保持される全表示材３の高さより大きくし、案内溝２ａ、２ａを案内材２の長さ方向の任意の一部区間２ｂ以外の区間に形成する。【選択図】図１
2019053120.tif 000002
【特許請求の範囲】
【請求項１】
壁面に固定され、前記壁面に沿った方向の両側に並列する案内溝を有する案内材と、この案内材の前記案内溝内に差し込まれて前記案内溝に保持される表示材とを備え、
前記表示材の前記壁面側に、前記案内材の前記表示材側の面に沿った形状をし、前記案内材の前記案内溝に前記案内材の長さ方向に移動自在に嵌合し、前記壁面の表面側へ係合しながら前記案内材に支持される被保持部が形成され、この被保持部以外の前記表示材の表面は情報を表示可能な表示面であり、
前記案内材の長さは前記案内溝に保持される前記全表示材の高さ、もしくは長さより大きく、
前記案内溝は前記案内材の長さ方向の任意の一部区間以外の区間に形成されていることを特徴とする壁面表示装置。
【請求項２】
前記一部区間の前記表示材側の面に、前記表示材の前記案内材側の面が接触可能であることを特徴とする請求項１に記載の壁面表示装置。
【請求項３】
前記一部区間の、前記案内溝に前記案内材の長さ方向に連続した、前記案内材の幅方向両側の面に、前記表示材の前記被保持部が前記案内材の幅方向に接触可能であることを特徴とする請求項１、もしくは請求項２に記載の壁面表示装置。
【請求項４】
前記一部区間に、前記案内溝内への前記表示材の収納状態で、前記案内材の表面側から前記一部区間を覆う被覆材が着脱自在に装着可能であることを特徴とする請求項１乃至請求項３にいずれか記載の壁面表示装置。
【発明の詳細な説明】
【技術分野】
【０００１】
本発明は室内、もしくは屋内の空間（居室）の用途、または使用者等を明示する目的で室外等の壁面に固定状態で設置される壁面表示装置に関するものである。
【背景技術】
【０００２】
例えば学校の教室、事務所ビル内の部屋の室外側の壁面に部屋の用途、種別、使用者等の情報を表示する表示装置は主に壁面に固定される固定材と、固定材に保持され、名前等を表示した名札等の表示材（表示板）を基本的な構成要素として備える（特許文献１、２参照）。この形式の表示装置は１個の固定材が１枚の表示材を高さ方向、または幅方向（厚さ方向）に挟持する等により保持する形態であるため、表示装置としては単一の名前（情報）を表示することができるに留まる。
【０００３】
これに対し、複数の名札等を同一箇所に集中的に配置することを可能にするために、複数の同一形状の表示材を１個の固定材に長さ方向に重ねて保持させる形態がある（特許文献３参照）。この形態の表示装置は壁面に平行に互いに外側を向き、高さ方向に連続して形成された縦溝を有する固定材としての取付基板（受け材）の縦溝に壁面の面外方向に係合する係合片を係合させながら、降下させることにより複数個の表示材（表示板）を縦溝に沿い、積み重ねて保持させている（第１図）。
【先行技術文献】
【特許文献】
【０００４】
【特許文献１】実開昭５６−６４０６９号公報（第１図、第２図）
【特許文献２】実開昭５６−８０５６５号公報（第１図、第２図）
【特許文献３】実開昭５０−１２７３９８号公報（明細書第１頁第１４行〜第４頁第２行、第１図、第３図、第５図、第６図）
【発明の概要】
【発明が解決しようとする課題】
【０００５】
特許文献３では複数個の表示材を固定材（受け材）の長さ方向（高さ方向）に重ねて配列させるために、固定材の長さ方向に連続する案内溝としての縦溝を固定材の幅方向両側に並列させて形成している。この縦溝に上記した係合片を壁面の表面側へ係合させる必要から、縦溝には係合片が係合する被係合部が周方向に連続して形成されるが、特許文献３では固定材の全長を複数個の表示材で覆うことにしているため（明細書第１頁第１４行〜第２頁第１行）、縦溝を固定材の全長に形成する結果になっている。
【０００６】
この関係で、全表示材を縦溝の上方から落とし込まなければならないため、固定材の上方には少なくとも１個の表示材を差し込めるだけの、１個の表示材の高さ分の空間を確保する必要があり、例えば固定材の上端面を天井面に接触させたような状態で壁面に固定することはできない。
【０００７】
また固定材の全長に縦溝を形成する以上、表示材の壁面側への平行移動により表示材の係合片を縦溝に係合させることはできないため、縦溝を露出させないようにするには、固定材（縦溝）の全長に表示材を差し込まなければならない。
【０００８】
本発明は上記背景より、固定材（受け材）の上方に表示材を差し込めるだけの空間の確保を要せず、固定材の全長に表示材を差し込むことを要しない形態の壁面表示装置を提案するものである。
【課題を解決するための手段】
【０００９】
請求項１に記載の壁面表示装置は、壁面に固定され、前記壁面に沿った方向の両側に並列する案内溝を有する案内材と、この案内材の前記案内溝内に差し込まれて前記案内溝に保持される表示材とを備え、
前記表示材の前記壁面側に、前記案内材の前記表示材側の面に沿った形状をし、前記案内材の前記案内溝に前記案内材の長さ方向に移動自在に嵌合し、前記壁面の表面側へ係合しながら前記案内材に支持される被保持部が形成され、この被保持部以外の前記表示材の表面は情報を表示可能な表示面であり、前記案内材の長さは前記案内溝に保持される前記全表示材の高さ、もしくは長さより大きく、前記案内溝は前記案内材の長さ方向の任意の一部区間以外の区間に形成されているを構成要件とする。
【００１０】
案内材は壁面には接着剤（粘着剤）、ねじ等の固定具、または係合等の手段により固定されるが、固定方法は問われない。請求項１における「壁面に沿った方向」とは、例えば壁面が平坦面であれば、壁面に平行な水平方向、または鉛直方向等であり、曲面であれば、その曲面に沿った水平方向、または鉛直方向等である。「壁面に沿った方向の両側」は壁面に固定される案内材の壁面に沿った方向の両側、例えば案内材の幅方向両側であり、案内溝が形成される（連続する）方向に直交する方向である。
【００１１】
「案内材の両側に並列する案内溝」とは、案内溝が案内材の例えば幅方向両側位置で並列し、対になることを言う。案内溝は案内材の壁面に平行等、沿った方向に並列しながら、それに直交する方向に連続して、または断続的に形成される。以下では「連続して、または断続的に」を「連続的に」と言う。案内溝が連続的に形成される方向を案内材の長さ方向とすれば、案内溝は案内材の幅方向に並列するが、案内材の長さ方向の寸法が幅方向の寸法より大きいとは限らない。
【００１２】
案内溝の開放する側の向きは問われないが、請求項１における「被保持部が案内溝に壁面の表面側へ係合し」の要件から、案内溝の開放する側は壁面に沿った方向を向き、並列する案内溝２ａ、２ａは図１に示すように互いに向き合うように（案内材２の内側を向いて）形成されるか、図７に示すように図１とは逆向きに（案内材２の外側を向いて）形成される。
【００１３】
案内材２の、図３に示す壁面５への固定状態での長さ方向の向きも問われず、案内材２は主に長さ方向を鉛直方向、または水平方向等に向けて壁面５に固定される。案内材２の壁面５側の面は基本的には固定状態での安定性確保の面から、壁面５の表面形状に沿った平面状、または曲面状等に形成される。例えば壁面５が平坦面であれば、案内材２の壁面５側の面は主に平坦面に形成されるが、壁面５が曲面状であれば、その曲面に沿った曲面状、または多面体状に形成される。案内材２の表示材３側の面（表面）は壁面５側の面（背面）の形状に対応した平面状、または曲面状等に形成される。
【００１４】
表示材３の壁面５側である案内材２側に、案内材２の長さ方向の片側から並列する案内溝２ａ、２ａ内に案内材２の長さ方向に移動自在に差し込まれる被保持部３１が形成される。請求項１における「被保持部の壁面側が、案内材の表示材側の面に沿った形状をし」とは、被保持部３１の壁面５側の面が案内材２の表示材３側の面（表面）に沿った形状をしていることを言う。案内材２の表示材３側の面は案内材２の壁面５側の面の形状に対応し、平面状、または曲面状等に形成される。具体的には案内材２の表示材３側の面が平面（平坦面）状であれば、被保持部３１の案内材２側の面が平面状に形成され、案内材２の表示材３側の面が曲面状であれば、被保持部３１の案内材２側の面が案内材２の曲面に対応した曲面状に形成される。
【００１５】
被保持部３１は案内溝２ａに壁面５の表面側へ係合することにより（請求項１）案内材２からの面外方向への離脱を阻止され、案内溝２ａ内に差し込まれる側の反対側等、案内溝２ａ内に差し込まれる部分である「一部区間２ｂ」以外のいずれかの側の端部等において案内材２に係止することにより（請求項１）案内材２からの面内方向への離脱を阻止される。請求項１における「被保持部が案内材に支持される」とは、被保持部３１が案内溝２ａ内に差し込まれる部分（「一部区間２ｂ」）以外のいずれかの側の端部等において案内材２に係止することを言う。「端部等」とは、被保持部３１が係止する部分が案内材２の長さ方向の端部とは限らない意味である。
【００１６】
請求項１における「被保持部が案内材の長さ方向に移動自在」とは、被保持部３１（表示材３）が案内材２の、案内溝２ａが連続的に形成される方向の正負の向きに移動可能であることを言う。以下では表示材３の案内溝２ａに沿って移動可能な方向（案内材２の長さ方向）の寸法を表示材３の高さ、または長さと言う。例えば図１等に示すように案内材２の長さ方向が鉛直方向を向いて固定された場合には、表示材３の移動方向の寸法が高さであり、案内材２の長さ方向が水平方向を向いて固定された場合には、表示材３の移動方向の寸法が長さである。
【００１７】
請求項１における「被保持部以外の表示材の表面は情報を表示可能な表示面であり」とは、表示材３の、少なくとも被保持部３１の反対側の面である表面側の面が表示面３２ａであることを言う。この表示面３２ａは表示材３が平板状ではなく、立体的な形状をしている場合には表示材３の表面に加え、幅方向両側の面も表示面３２ａになることの意味である。立体的な形状には立方体を含む直方体形状、多面体形状、半球面形状、またはこれらに近い形状等がある。
【００１８】
案内材２の案内溝２ａ内には案内材２の長さ方向に１個、もしくは複数個の表示材３が収納されるが、請求項１における「案内溝に保持される全表示材」は案内溝２ａに収納可能で、保持可能な分の１個、もしくは複数個の全表示材３を言う。案内溝２ａ内に１個の表示材３しか収納されない場合には１個の表示材３の高さ、もしくは長さが全表示材３の高さ、もしくは長さであり、図３に示すように案内溝２ａ内に３個の表示材３が収納される場合には３個の表示材３の高さ、もしくは長さの合計が全表示材３の高さ、もしくは長さである。
【００１９】
請求項１における「案内材の長さは案内溝に保持される全表示材の高さ、もしくは長さより大きい」とは、案内材２の長さ方向に、案内溝２ａに保持される全表示材３が案内材２内に収納されたときの全表示材３の高さ、もしくは長さに、例えば表示材３の被保持部３１の少なくとも高さ方向、もしくは長さ方向の一部の区間が案内材２に接触可能な長さを加えた大きさを案内材２が持つことを言う。案内溝２ａに複数個の表示材３が収納可能な場合に、案内材２（壁面表示装置１）の使用状態では必ずしも複数個の全表示材３が案内溝２ａに収納される必要はない。
【００２０】
「表示材３の被保持部３１の少なくとも一部の区間が案内材２に接触可能な長さ」は表示材３の高さ方向、もしくは長さ方向に（案内材２の長さ方向に）被保持部３１の少なくとも一部の区間が接触可能な大きさを持てばよいことを言う。この「被保持部３１の少なくとも一部の区間」は案内材２の長さ方向に、後述の被保持部３１の全高、または全長の内の一部の区間を指す。被保持部３１の少なくとも一部の区間が案内材２の表面に壁面５側へ係止可能であれば、被保持部３１（表示材３）は案内材２に接触したまま、案内材２の幅方向両側の案内溝２ａ内に誘導可能であるため、案内材２は全表示材３の高さ、もしくは長さを僅かでも超えた大きさがあればよい。
【００２１】
案内材２の案内溝２ａ内に１個、もしくは複数個の表示材３（被保持部３１）が収納されたときに露出する、この案内材２の「全表示材の高さ、もしくは長さより大きい」区間（部分）が請求項１における「一部区間２ｂ」である。「一部区間２ｂ」は案内材２の全長の内、表示材３の差し込み口（入り口）となる区間を指す。請求項１における「案内材の長さ方向の任意の一部区間」はこの表示材３の差し込み口（入り口）となる、案内材２長さ方向の全長の内のいずれかの区間を指す。「任意の区間」であるから、図１、図５〜図７に示すように案内材２の長さ方向片側である場合と、図８〜図１０に示すように案内材２の長さ方向中間部である場合がある。
【００２２】
この「一部区間２ｂ」の表面に表示材３の案内材２内への収納時に表示材３が壁面５側へ係止し、または壁面５に平行な、案内溝２ａ、２ａが並列する方向に表示材３が係止するため、「一部区間２ｂ」は被保持部３１を案内溝２ａ内に誘導する役目を果たす（請求項２、請求項３）。「一部区間２ｂ」の「表示材３側の面（表面）」には「表示材３の案内材２側の面（背面）」の高さ方向、もしくは長さ方向の少なくとも一部の区間が接触可能であり（請求項２）、表示材３の背面が案内材２の表面に接触することにより表示材３の案内材２への収納の際に表示材３が壁面５の面外方向に位置決めされ、被保持部３１が案内溝２ａ内へ誘導される。
【００２３】
「一部区間２ｂ」は表示材３の被保持部３１を案内溝２ａ、２ａに誘導する区間であるから、案内材２の長さ方向には表示材３の案内材２側に形成される被保持部３１の少なくとも一部の高さ、または長さ（一部の区間）が差し込まれる大きさがあればよい。図１、図５、図６に示すように一部区間２ｂが案内材２の長さ方向片側に形成される場合には、一部区間２ｂの、案内溝２ａが形成された側の反対側には案内溝２ａがなく、その側は開放していることから、一部区間２ｂは図５、図６に示すように被保持部３１の全高、または全長の一部の区間が接触し得る大きさがあれば足りる。
【００２４】
但し、図８〜図１０に示すように一部区間２ｂが長さ方向中間部に形成される場合には、一部区間２ｂの両側の区間に案内溝２ａを構成する、後述の保持部２２が形成されていることから、一部区間２ｂは図９に示すように少なくとも被保持部３１の全高、または全長が差し込める大きさを持つ必要がある。只、図９に示す例のように被保持部３１の全高、または全長は表示材３（後述の本体部３２）の全高、または全長の一部であることもあるため、「一部区間２ｂ」は必ずしも表示材３の全高、または全長以上の長さを持つ必要はない。
【００２５】
「一部区間２ｂの表示材３側の面（表面）」は後述の「固定部２１」の一部区間２ｂにおける表面である。この一部区間２ｂ（固定部２１）の表面は表示材３の背面が接触することにより表示材３を案内溝２ａに誘導する導入部として機能する。請求項２における「表示材の案内材側の面（背面）」は表示材３の案内材２側に形成される「被保持部３１の背面」を含む。図１等に示す例では一部区間２ｂ（固定部２１）の表面に被保持部３１の背面が接触するが、図７に示す例では表示材３の、被保持部３１を除いた本体部３２の背面が接触する。
【００２６】
表示材３の被保持部３１、または本体部３２の一部区間２ｂ（固定部２１（案内材２））への接触の際には表示材３は一部区間２ｂ（固定部２１）に対向したまま、平行移動させられることにより被保持部３１、または本体部３２が一部区間２ｂ（固定部２１）の表面に接触し、そのまま案内材２の長さ方向に誘導されることにより被保持部３１が案内溝２ａ内に差し込まれ、保持される。
【００２７】
被保持部３１は案内溝２ａ内へは、一部区間２ｂの、案内溝２ａに案内材２の長さ方向に連続した、案内材２（固定部２１）の幅方向両側の面（側面）に、表示材３の被保持部３１が案内材２（固定部２１）の幅方向に接触可能であることによっても誘導される（請求項３）。この場合、被保持部３１の幅方向両側の部分が、一部区間２ｂの幅方向両側の面（側面）に接触しながら、案内溝２ａ側へ移動（スライド）させられることにより案内溝２ａ内へ誘導される。一部区間２ｂの幅方向両側の面は図１の例では案内材２の後述の側壁部２３、２３が対向する面であり、図７の例では表示材３の被保持部３１、３１が対向する固定部２１の側面であり、いずれの場合にも被保持部３１の側面を案内溝２ａに誘導する導入部として機能する。
【００２８】
上記のように「一部区間２ｂ」は被保持部３１が案内溝２ａ内へ誘導されるときに被保持部３１、または本体部３２が接触する部分（区間）である（請求項２、請求項３）。このことから、請求項１における「案内溝は案内材の長さ方向の任意の一部区間以外の区間に形成されている」とは、この被保持部３１の誘導時に被保持部３１、または本体部３２の少なくとも一部が接触する区間である一部区間２ｂを除いた残りの区間に案内溝２ａが形成されていること言う。
【００２９】
この一部区間２ｂに、表示材３（被保持部３１）の案内材２内への収納時に被保持部３１、または本体部３２が壁面５側へ係止することで、表示材３を案内材２（壁面５）側への平行移動と、案内溝２ａに沿った案内材２の長さ方向への平行移動（スライド）により収納状態にすることができる。従って例えば図５、図６に示す例のように案内溝２ａの上方等、案内溝２ａの長さ方向の片側（表示材３の差し込み側）に表示材３を差し込めるだけの空間の確保を必要とせずに済む。また案内溝２ａは一部区間２ｂ以外の区間に形成されることで、案内溝２ａの区間にのみ表示材３が収納されれば、案内溝２ａ自体の露出は回避されるため、案内溝２ａ自体の露出を回避する目的を持った表示材３を一部区間２ｂに収納する必要は生じない。
【００３０】
只、案内材２の案内溝２ａ内に１個、もしくは複数個の全表示材３が収納されたときに、案内溝２ａに連続した、被保持部３１が係止し得る一部区間２ｂは表示材３には隠されず、露出した状態になる。但し、一部区間２ｂは「１個の表示材３の高さ、もしくは長さより大きく」（請求項１）、図５、図６に示すように１個の表示材３の高さ、もしくは長さを僅かでも超えた長さがあればよいため、一部区間２ｂの露出による壁面表示装置１の外観への影響は抑えられる。
【００３１】
表示材３に隠されない一部区間２ｂの露出による壁面表示装置１の外観への影響があるような場合には、一部区間２ｂに、案内溝２ａ内への表示材３の収納状態で、案内材２の表面側から一部区間２ｂを覆う被覆材４が着脱自在に装着可能とされることで（請求項４）、一部区間２ｂの露出は回避される。図３、図４に示すように被覆材４が一部区間２ｂに装着されることで、案内材２の一部区間２ｂが表示材３に被覆されない場合にも、一部区間２ｂを被覆し、外部への露出を回避することが可能になる。「案内溝２ａ内への表示材３の収納状態」は案内溝２ａ内に１個、もしくは複数個の全表示材３が収納された状態を言う。
【００３２】
「一部区間２ｂを覆う被覆材４」とは、案内溝２ａに連続し、案内溝２ａを構成する部分である一部区間２ｂを案内材２の表面側から被覆材４が重なり、一部区間２ｂを被覆材４が覆うことを言う。「被覆材４が装着可能」とは、接着、磁力による吸着、ねじ等の固定具により装着が可能であることを言う。「着脱自在に」とは、表示材３の案内溝２ａへの収納状態から表示材３を入れ替えるとき等に被覆材４を自由に着脱可能であることを言う。
【発明の効果】
【００３３】
壁面に固定され、並列する案内溝を有する案内材と、案内材の案内溝内に差し込まれて案内溝に保持される表示材とを備え、案内材の長さを案内溝に保持される全表示材の高さ、もしくは長さより大きくし、案内溝を案内材の長さ方向の任意の一部区間以外の区間に形成しているため、一部区間に、表示材の案内材内への収納時に被保持部、または本体部が壁面側に係止することで、表示材を案内材（壁面）側への平行移動と、案内溝に沿った案内材の長さ方向への平行移動（スライド）により収納状態にすることができる。
【００３４】
この結果、案内溝の上方等、案内溝の長さ方向の片側に表示材を差し込めるだけの空間の確保を必要とせずに済む。また案内溝は一部区間以外の区間に形成されることで、案内溝の区間にのみ、表示材が収納されれば、案内溝自体の露出は回避されるため、案内自体溝の露出を回避する目的を持った表示材を一部区間に収納する必要は生じない。
【図面の簡単な説明】
【００３５】
【図１】長さ方向が鉛直方向を向いて壁面に固定され、案内溝が互いに向き合うように形成された案内材に表示材を対向させ、そのまま平行移動させている状況を示した斜視図である。
【図２】（ａ）は図１の平面図、（ｂ）は（ａ）に示す案内材の案内溝内に表示材の被保持部が差し込まれたときの状況を示した平面図、（ｃ）は（ａ）に示す表示材の側面図である。
【図３】案内溝内に３個の表示材が収納され、表示材から露出した一部区間に被覆材を装着しようとしているときの様子を示した、表示材を幅方向に見た壁面表示装置の側面図である。
【図４】図３に示す壁面表示装置を正面側から見た立面図である。
【図５】図１に示す案内材の一部区間が、長さ方向に表示材の被保持部の一部が接触可能な程度の大きさである場合の図１の変形例を示した斜視図である。
【図６】図５の例における案内材の固定部のみが案内溝から張り出した形である場合の例を示した斜視図である。
【図７】図１の変形例として案内溝が図１とは逆向きに形成された案内材に表示材を対向させ、そのまま平行移動させている状況を示した斜視図である。
【図８】案内溝が互いに向き合うように形成された案内材の長さ方向中間部に一部区間が形成された場合の案内材と表示材の関係を示した斜視図である。
【図９】図８の例において被保持部の全高、または全長が表示材の全高、または全長の一部である場合に、一部区間が被保持部の全高、または全長に相当する長さを持つ場合の案内材と表示材の関係を示した斜視図である。
【図１０】案内溝が案内材の外側を向いて形成された案内材の長さ方向中間部に一部区間が形成された場合の案内材と表示材の関係を示した斜視図である。
【発明を実施するための形態】
【００３６】
図１は壁面５に固定され、壁面５に沿った方向の両側に並列する案内溝２ａ、２ａを有する案内材２と、案内材２の案内溝２ａ、２ａ内に差し込まれて案内溝２ａ、２ａに保持される表示材３とを備えた壁面表示装置１の組み合わせ例を示す。表示材３の壁面５（案内材２）側には、案内材２の表示材３側の面（表面）に沿った形状をし、案内材２の案内溝２ａ、２ａに案内材２の長さ方向に移動自在に嵌合する被保持部３１が形成される。被保持部３１は案内溝２ａ、２ａ内で壁面５の表面側（表示材３側）へ係合しながら、案内材２に支持される。
【００３７】
案内材２は例えば図１、図３に示すように壁面５に固定される、案内材２の本体部である固定部２１と、固定部２１の幅方向両側に、固定部２１に連続して固定部２１の表示材３寄りに形成され、表示材３を保持し、表示材３の案内材２からの離脱を阻止する保持部２２を有する。図１に示す例の場合、保持部２２は固定部２１とは壁面５の面外方向に対向し、固定部２１と保持部２２の間に壁面５の面内方向に距離を置いた案内溝２ａ、２ａが形成される。図１では固定部２１の、表示材３の反対側の面が壁面５側になる。「固定部２１の幅方向」は案内材２の幅方向であり、案内材２に形成される案内溝２ａの長さ方向に直交する方向を言う。
【００３８】
「壁面５の面外方向」は壁面５に垂直な方向を言い、壁面５が曲面であれば、曲面の法線の方向を指す。案内材２の形態（形状）は案内溝２ａ、２ａが図１に示すように固定部２１の幅方向に互いに向き合うように（案内材２の幅方向内側（中心側）を向いて）形成されるか、図７に示すように図１とは逆向きに（案内材２の幅方向外側を向いて）形成されるか、により異なる。
【００３９】
図１、図５、図６に示すように案内溝２ａ、２ａが固定部２１の幅方向に互いに向き合うように形成される場合、固定部２１の幅方向両側の表示材３寄りには固定部２１と保持部２２をつなぐ側壁部２３が形成される。案内溝２ａはこの側壁部２３の内周面と、側壁部２３を挟んで壁面５の面外方向に対向する固定部２１の一部と保持部２２の対向する面から構成される。
【００４０】
側壁部２３は図１に示す例の場合、固定部２１の幅方向両側から表示材３側へ突出して形成され、側壁部２３の表示材３寄りから壁面５の面内方向に対向する側壁部２３側へ保持部２２が張り出す。側壁部２３、２３の互いに対向する面と、保持部２２の固定部２１側の面（内周面）、及びこの面に対向する固定部２１の面が案内溝２ａになる。「壁面の面内方向」は壁面に平行な方向、または壁面に沿った方向を言う。
【００４１】
図７に示すように案内溝２ａ、２ａが固定部２１の幅方向に図１とは逆向きに、外側を向いて形成される場合には、固定部２１の幅方向両側面から、壁面５の面外方向に対向する保持部２２と受け部２４が並列して張り出す。固定部２１の幅方向両側面は保持部２２と受け部２４の形成区間まで連続するため、案内溝２ａは固定部２１の幅方向両側面と、この側面を挟んで対向する保持部２２と受け部２４の対向する面から構成される。受け部２４は壁面５側に位置する部分を指す。図７に示す例の場合、図１に示す例の側壁部２３は形成されない。
【００４２】
図１、図５、図６に示す例のように案内溝２ａ、２ａが固定部２１の幅方向に互いに向き合うように形成される場合、被保持部３１の案内材２側の背面は図２−（ｂ）に示すように固定部２１の表示材３側の表面に接触し得る（重なり得る）状態にある。この被保持部３１の幅方向両側から、案内溝２ａ、２ａ内に納まり、案内溝２ａ、２ａに沿って案内溝２ａの長さ方向に移動（スライド）可能な摺動片３１ａ、３１ａが案内溝２ａ、２ａ側へ張り出すように形成される。案内溝２ａ内では摺動片３１ａの表面が案内溝２ａの内周面に接触し得る。摺動片３１ａは案内溝２ａ内に納まることから、摺動片３１ａの、被保持部３１を除いた本体部３２側の面と本体部３２の背面（案内材２側の面）との間には保持部２２が入り込む空隙が形成される。
【００４３】
表示材３の摺動片３１ａを案内溝２ａ内に収納するときには、被保持部３１の背面を固定部２１の表面に接触させながら、摺動片３１ａ、３１ａを案内溝２ａ、２ａ内に落とし込むことにより表示材３が案内材２内に差し込まれる。この関係で、例えば図５、図６に示すように表示材３が差し込まれる部分である一部区間２ｂが案内材２の長さ方向片側に形成された場合、被保持部３１の背面が面する固定部２１は被保持部３１の背面を受け入れ可能なように少なくとも被保持部３１の高さ方向、または長さ方向の一部の区間が接触可能な分だけ、案内溝２ａより張り出した状態にある。
【００４４】
この固定部２１の案内溝２ａより表示材３の収納側へ張り出した分だけ、案内材２の長さは案内溝２ａに保持される全表示材３の高さ、もしくは長さより大きい。この固定部２１の案内溝２ａの端部（形成開始位置）より張り出した部分（区間）が、表示材３（被保持部３１）を案内溝２ａ内に誘導するための入り口となる一部区間２ｂである。案内溝２ａは案内材２の長さ方向に一部区間２ｂ以外の区間に形成される。一部区間２ｂは図１、図５〜図７に示すように案内材２の長さ方向片側寄りに、または図８〜図１０に示すように案内材２の長さ方向中間部に形成されるが、いずれの場合も一部区間２ｂには、案内材２の長さ方向に少なくとも被保持部３１の高さ、または長さ以上の大きさが確保される。
【００４５】
図１では一部区間２ｂが案内材２の長さ方向に、１個の表示材３の高さ、または長さに相当する長さを持つ場合の例を示している。一部区間２ｂを案内材２の長さ方向片側寄りに形成した場合、表示材３の摺動片３１ａを案内溝２ａ内に誘導する役目を果たす上では一部区間２ｂは図５、図６に示すように被保持部３１の高さ方向、または長さ方向の一部が接触可能な分だけ張り出せば足りる。
【００４６】
図１等ではまた、表示材３の被保持部３１を除いた本体部３２の背面の全高、または全長に亘り、被保持部３１を連続して形成しているが、被保持部３１は図９に示すように少なくとも本体部３２の上面側か下面側、または中間部等、表示材３が案内溝２ａに沿って移動させられる一部区間２ｂから図５、図６に示す一部区間２ｂの案内溝２ａからの張り出し長さに対応した長さを持っていればよい。
【００４７】
図７に示す例のように案内溝２ａ、２ａが固定部２１の幅方向に案内材２の外側を向いて形成される場合、被保持部３１、３１は表示材３の本体部３２背面の幅方向両側に、固定部２１を幅方向両側から挟み込むように形成される。
【００４８】
この場合、固定部２１の案内溝２ａ、２ａは上記のように保持部２２と受け部２４との間に、幅方向両外側が開放した状態で形成されるため、被保持部３１、３１の摺動片３１ａ、３１ａは固定部２１の幅方向両外側から保持部２２と受け部２４との間に入り込むよう、両被保持部３１、３１が壁面５面内方向に対向する面から互いに向き合うように突出して形成される。
【００４９】
この図７に示す例の場合も、摺動片３１ａの、本体部３２側の面と本体部３２の背面との間には保持部２２が入り込む空隙が形成される。摺動片３１ａの、壁面５面外方向両側の面は案内溝２ａを構成する保持部２２と受け部２４の対向する面に接触可能で、両摺動片３１ａ、３１ａが壁面５面内方向に対向する面は固定部２１の幅方向両側面とこれに連続する案内溝２ａの内周面（底）に接触可能である。
【００５０】
図１、図５、図６に示すように案内溝２ａ、２ａが固定部２１の幅方向に互いに向き合うように形成される場合、一部区間２ｂは主に図１、図５に示すように固定部２１と側壁部２３から構成されるが、図６に示すように固定部２１のみから構成されることもある。図７に示すように案内溝２ａ、２ａが固定部２１の幅方向外側を向いて形成される場合には、一部区間２ｂは主に固定部２１のみから構成される。
【００５１】
図６に示す例の場合、表示材３の入り口となる案内材２の一部区間２ｂの、表示材３側の面（表面）に表示材３（被保持部３１）の案内材２側の面（背面）が接触可能である。図１、図５、図７に示す例では一部区間２ｂの表面に表示材３の被保持部３１、または本体部３２の背面が接触可能であることに加え、一部区間２ｂの、案内溝２ａに案内材２の長さ方向に連続した、案内材２の幅方向両側面に、表示材３の被保持部３１が案内材２の幅方向に接触可能である。図１、図５の例での案内材２の幅方向両側面は側壁部２３の内周面（壁面５面内方向に対向する面）であり、図７の例での案内材２の幅方向両側面は固定部２１の幅方向両側面である。
【００５２】
なお、図６では案内材２の長さ方向に見たときの一部区間２ｂの長さ（高さ）が、この一部区間２ｂの固定部２１に接触する被保持部３１の背面の高さ（長さ）の一部程度の大きさしかないが、図１と同様に被保持部３１の背面の全高（全長）分の大きさを持つこともある。
【００５３】
また図５、図６に示す例の案内材２に組み合わせられる表示材３の被保持部３１は案内材２の長さ方向に、図５、図６に示す例における一部区間２ｂの長さ程度の長さしかないこともある。
【００５４】
図１、図５に示す例の場合、図１に示すように表示材３の被保持部３１はその案内材２側の背面が固定部２１の表面に対向したまま平行移動（並進運動）させられ、被保持部３１の背面が固定部２１の表面に接触したときに壁面５の面外方向の位置が決まる。更に摺動片３１ａの案内溝２ａ側の面が案内溝２ａ（側壁部２３）の内周面に接触したときに壁面５の面内方向の位置が決まる。そのまま表示材３は案内溝２ａに沿って案内材２の長さ方向に移動（スライド）させられることにより案内材２内に収納される。図面では案内材２の長さ方向を鉛直方向に向けた場合の例のみを示しているが、水平方向その他の方向に向けることもある。
【００５５】
案内溝２ａ内の、表示材３が移動する先の端部には図１に示すように案内溝２ａ内の下端部等、最も奥に収納される表示材３の被保持部３１が移動側へ係止し、停止させられる係止部２ｃが形成されている。最も奥に収納される表示材３の収納位置はこの係止部２ｃに被保持部３１の摺動片３１ａの端部（下端部）が係止することで決まる。案内溝２ａ内に１個の表示材３のみが収納される場合には、その被保持部３１の摺動片３１ａの端部が係止部２ｃに係止する。
【００５６】
図６に示す例の場合、表示材３の被保持部３１はその案内材２側の背面が固定部２１の表面に対向したまま平行移動（並進運動）させられ、被保持部３１の背面が固定部２１の表面に接触したときに壁面５の面外方向の位置が決まる。その後、被保持部３１の摺動片３１ａが案内材２の案内溝２ａ内に納まるよう、表示材３の幅方向の案内材２に対する位置を調整することにより表示材３の、壁面５の面内方向の位置が決まり、そのまま案内溝２ａに沿って案内溝２ａの長さ方向に表示材３を移動（スライド）させることにより摺動片３１ａが案内溝２ａ内に収納される。
【００５７】
図７に示す例の場合には、表示材３の本体部３２の案内材２側の面（背面）が案内材２の固定部２１の表面に対向したまま平行移動（並進運動）させられ、本体部３２の背面が固定部２１の表面に接触したときに壁面５の面外方向の位置が決まる。このとき、本体部３２の背面で壁面５面内方向に並列する摺動片３１ａ、３１ａの壁面５面内方向に対向する面が上記のように案内溝２ａを構成する固定部２１の幅方向両側面に接触し得る状態になるため、表示材３の壁面５の面内方向の位置も決まる。表示材３はそのまま案内溝２ａに沿って移動させられることにより案内材２内に収納される。この例でも表示材３の摺動片３１ａ、３１ａが案内溝２ａ内の最も奥に形成されている、図示しない係止部２ｃに係止することにより表示材３の収納位置が決まる。
【００５８】
図５、図６は一部区間２ｂを案内材２の長さ方向片側寄りに形成した場合に、案内材２の一部区間２ｂの、案内溝２ａからの張り出し長さが１個の表示材３の全高、または全長分はなく、案内材２の長さ方向に、一部区間２ｂの張り出し長さを被保持部３１の一部の高さ、または長さ分程度の大きさに抑えた場合の案内材２の形成例を示す。図５は案内溝２ａの端部（形成開始位置）から固定部２１と側壁部２３を案内溝２ａの区間に連続させて突出させた場合、図６は案内溝２ａの端部（形成開始位置）から固定部２１のみを案内溝２ａの区間に連続させて突出させた場合である。
【００５９】
これらの例では一部区間２ｂの案内溝２ａからの張り出し長さが１個の表示材３の高さ、または長さの数分の１程度であることで、一部区間２ｂの露出が抑えられるため、必ずしも図３に示す、後述の被覆材４を使用しなくても、壁面表示装置１全体の外観への影響も小さくなる利点がある。
【００６０】
図５、図６に示す案内材２の例においても、表示材３の入り口としての一部区間２ｂが僅かでも確保されていることで、図１に示す表示材３の被保持部３１を案内溝２ａ内に誘導することが可能である一方、被覆材４を一部区間２ｂに装着する場合には、被覆材４の高さを小さくすることができる。
【００６１】
図７は前記のように案内材２の固定部２１の幅方向両側に、両外側を向いて開放した案内溝２ａ、２ａが形成された場合の例である。案内溝２ａは壁面５の面外方向に対向する保持部２２と受け部２４から構成されるため、保持部２２と受け部２４の形成区間が案内溝２ａの形成区間になり、保持部２２と受け部２４が形成されていない固定部２１の区間が案内溝２ａから張り出した一部区間２ｂになる。
【００６２】
図７に示す例では一部区間２ｂは固定部２１のみからなるが、案内溝２ａを構成する保持部２２と受け部２４は必ずしも同一長さである必要はない。例えば受け部２４を保持部２２より長くし、一部区間２ｂ側へ突出させることで、図５、図６に示す例の固定部２１ように表示材３の案内溝２ａ内への差し込み時に表示材３を誘導させる役目を持たせることも可能である。
【００６３】
図７の例においても被保持部３１は図９に示す例と同様に少なくとも本体部３２の全高（全長）の内の一部の区間にのみ形成されることもあるため、固定部２１の一部区間２ｂは必ずしも１個の表示材３の高さ、または長さ分の長さを持つ必要はなく、一部区間２ｂは被保持部３１の高さ、または長さに応じ、案内溝２ａの形成区間より僅かでも張り出していればよい。
【００６４】
図８、図９は案内溝２ａ、２ａを互いに向き合うように形成した案内材２の長さ方向中間部に一部区間２ｂを形成した場合の、案内材２と表示材３の組み合わせ例を示す。ここに示す例では表示材３は一部区間２ｂから案内溝２ａ、２ａ内に差し込まれた後、一部区間２ｂを挟んだ両側のいずれの側にも移動（収納）可能である。
【００６５】
案内材２の長さ方向中間部に一部区間２ｂを形成した場合には、前記のように一部区間２ｂは案内材２の長さ方向に少なくとも被保持部３１の高さ（長さ）以上の大きさを持てばよい。図８は被保持部３１が本体部３２の全高（全長）分の高さ（長さ）を持ち、一部区間２ｂが案内材２の長さ方向に被保持部３１の高さ（長さ）に相当する長さを持つ場合の例である。図９は被保持部３１が本体部３２の全高（全長）の一部の高さ（長さ）分の高さ（長さ）しかない場合で、一部区間２ｂが被保持部３１の高さ（長さ）に相当する長さを持つ場合の例である。図９における被保持部３１は本体部３２の全高（全長）の範囲内にあれば、形成位置は任意である。
【００６６】
図１０は案内溝２ａ、２ａを案内材２の幅方向外側に向けて形成した案内材２の長さ方向中間部に一部区間２ｂを形成した場合の、案内材２と表示材３の組み合わせ例を示す。ここに示す例でも表示材３は一部区間２ｂから案内溝２ａ、２ａ内に差し込まれた後、一部区間２ｂを挟んだ両側のいずれの側にも移動（収納）可能である。また図１０では被保持部３１と一部区間２ｂが本体部３２の全高（全長）分の高さ（長さ）を持っているが、被保持部３１は本体部３２の全高（全長）の一部の高さ（長さ）分の高さ（長さ）しかない場合もあり、その場合、一部区間２ｂは被保持部３１の高さ（長さ）に相当する長さを持てばよい。
【００６７】
表示材３の本体部３２の、案内材２側の面（背面）を除く他の表面は名前、文字、記号その他の情報を表示可能な表示面３２ａとなる。「案内材２側の面を除く他の表面」は被保持部３１が形成された側の面（固定部２１に重なる面）以外の、いずれかの側に露出する表面を指す。
【００６８】
図面では表示面３２ａを案内材２側の面を除いた、少なくとも鉛直面をなす３方向に確保するために、本体部３２を立方体、または直方体形状に形成しているが、本体部３２は少なくとも１方向に表示面３２ａを持てばよいため、板状に形成されることもある。本体部３２を立体形状に形成する場合には、直方体形状の他、多面体形状、半球面形状等、自由な形状が与えられる。本体部３２が直方体形状の場合に、案内材２に保持される表示材３が１個の場合には、水平面も表示面３２ａとして利用可能であり、複数個の場合にも隣接する表示材３、３が重なる面以外の水平面も表示面３２ａになり得る。
【００６９】
図２−（ａ）は図１に示す案内材２と表示材３の関係を平面で見たときの様子を、（ｂ）は（ａ）の案内材２の固定部２１の表面に表示材３の被保持部３１の背面を接触させ、案内溝２ａ内に摺動片３１ａを挿入したときの様子を示す。図２は図３に示すように案内材２の長さ方向を鉛直方向に向けて壁面５に固定した場合の例を示す。案内材２は前記のように長さ方向を水平方向に向けて、または鉛直方向、もしくは水平方向に対して傾斜した方向に向けて固定されることもある。
【００７０】
図２−（ｃ）は（ａ）の表示材３を幅方向に見たときの様子を示す。ここでは被保持部３１に表示材３の本体部３２の高さと同一の高さを与えているが、必ずしもその必要はなく、本体部３２の高さの範囲内でいずれかの区間に部分的に被保持部３１を形成することもある。また案内材２の案内溝２ａ内に図３に示すように複数個の表示材３をその高さ方向に重ねて収納する場合を想定し、表示材３の本体部３２の底面に、下方に隣接する表示材３の上面との間隔を保持するためにスペーサ３３を一体的に形成している。
【００７１】
図３は案内材２の長さ方向を鉛直方向に向けて壁面５に固定した場合に、図２に示す表示材３を３個、案内材２の長さ方向（高さ方向）に重ねて収納した場合の壁面表示装置１の側面を示している。案内材２は例えば固定部２１の壁面５側の面（背面）が壁面５に接触（密着）した状態で、固定部２１の背面と壁面５との間に充填される、もしくは塗布される接着剤により、またはねじ（ボルト）等の固定具等により壁面５に固定される。
【００７２】
図３はまた、案内材２の上端を天井面６に突き合わせるようにして、または天井面６に接近させて壁面５に固定した場合の例を示している。この場合、案内材２（一部区間２ｂ）の上端が天井面６に近いことから、少なくとも１個の表示材３が平行移動により被保持部３１、または本体部３２の全体（全高、または全長）が一部区間２ｂ（固定部２１）の表面に接触し得るよう、一部区間２ｂの長さに少なくとも１個の表示材３の全高、または全長以上の長さを与えている。図３の例では表示材３は天井面６に沿い、案内材２の一部区間２ｂに対向したまま平行移動させられることにより案内溝２ａ内に収納されるため、表示材３の入り口となる一部区間２ｂは案内材２の長さ方向には少なくとも１個の表示材３の高さ分以上、案内溝２ａから天井面６側へ張り出すことになる。
【００７３】
但し、天井面６と、案内材２の案内溝２ａの端部（形成開始位置）までの間に、１個の表示材３が差し込めるだけの空間が確保されれば、表示材３を案内材２内に収納することはできるため、天井面６との関係では案内材２の壁面５への固定位置（高さ）は案内溝２ａの端部の位置で決まることになる。従って例えば案内材２（一部区間２ｂ）が表示材３の全高、または全長の一部に相当する分の長さしかない図５、図６に示す形状例の場合には、案内材２の上端を天井面６に接近させることなく、案内材２を壁面５に固定することもできる。
【００７４】
図３の例の場合、３個の全表示材３が案内材２に収納されたときに、一部区間２ｂが壁面５の表面側に露出するため、図３では一部区間２ｂの外部への露出を回避する目的で、案内材２の表面側から一部区間２ｂを覆う被覆材４を一部区間２ｂに着脱自在に装着している。被覆材４は例えばその背面に繰り返して着脱自在な粘着剤を塗布しておく、または図示するように被覆材４の背面、もしくは背面側に磁石４１を固定、または埋設しておく一方、案内材２の固定部２１の少なくとも一部を磁石４１が吸着可能な金属にするか、一部に金属を埋設しておくことにより固定部２１に着脱自在に装着される。
【００７５】
被覆材４は案内材２の一部区間２ｂを固定部２１の表面側から覆う役目を果たせばよいため、図３では被覆材４を板状にしているが、表示材３と同一、または類似の形状に形成することもある。図４は図３に示す被覆材４が一部区間２ｂに装着されたときの被覆材４を含む壁面表示装置１の表面側の立面を示している。図３、図４では案内材２の、最下部の表示材３の収納位置より下方を壁面５との整合性等の面より連続させているが、最下部の表示材３の下端位置、またはその付近に案内材２の下端面が位置する場合もある。
【符号の説明】
【００７６】
１……壁面表示装置、
２……案内材、２１……固定部、２２……保持部、２３……側壁部、２４……受け部、２ａ……案内溝、２ｂ……一部区間、２ｃ……係止部、
３……表示材、３１……被保持部、３１ａ……摺動片、３２……本体部、３２ａ……表示面、３３……スペーサ、
４……被覆材、４１……磁石、
５……壁面、６……天井面。
【図１】
2019053120.tif 000003
【図２】
2019053120.tif 000004
【図３】
2019053120.tif 000005
【図４】
2019053120.tif 000006
【図５】
2019053120.tif 000007
【図６】
2019053120.tif 000008
【図７】
2019053120.tif 000009
【図８】
2019053120.tif 000010
【図９】
2019053120.tif 000011
【図１０】
2019053120.tif 000012